(57)【要約】  本発明は、消音ボタンモジュール、電子設備およびその消音実現方法を提供する。本発明による消音ボタンモジュールは、スイッチ部品、触発機構および支持部品を含み、前記触発機構と前記スイッチ部品は、対向して設置されており、前記触発機構は、前記スイッチ部品の導通または切断の操作が実現されるよう、前記スイッチ部品の接触および分離する方向に沿って上向きに移動可能であり、前記スイッチ部品と前記支持部品の間には消音層が設置されている。このように、スイッチ部品と支持部品との間に消音層を設置して、消音層により触発機構とスイッチ部品の間の衝撃力を緩衝し、したがって、ボタンを押す際に発生するノイズを低減させて、全体的に最終完成製品の品質を向上させる。
2021523542.tif 000002
【特許請求の範囲】
【請求項１】
スイッチ部品、触発機構および支持部品を含んでいる消音ボタンモジュールであって、
前記触発機構と前記スイッチ部品は、対向して設置されており、
前記触発機構は、前記スイッチ部品の導通または切断の操作が実現されるよう、前記スイッチ部品の接触および分離する方向に沿って上向きに移動可能であり、
前記スイッチ部品と前記支持部品の間には消音層が設置されている
ことを特徴とする消音ボタンモジュール。
【請求項２】
前記触発機構の上方には固定膜が固定して設置されており、
前記触発機構は、前記固定膜に固定して装着されている
ことを特徴とする請求項１に記載の消音ボタンモジュール。
【請求項３】
前記固定膜に突起が固定して設置され、前記突起は、前記触発機構に対応して設置されている
ことを特徴とする請求項２に記載の消音ボタンモジュール。
【請求項４】
前記固定膜の下方には、スペーサーが設置され、
前記スペーサーは前記触発機構に対応して設置され、前記スペーサーの前記触発機構に対応する位置には貫通孔が形成されて、前記触発機構が前記貫通孔に嵌め込んで設置されている
ことを特徴とする請求項２に記載の消音ボタンモジュール。
【請求項５】
前記貫通孔の周辺には一つ以上の通気溝が開設されている
ことを特徴とする請求項４に記載の消音ボタンモジュール。
【請求項６】
前記支持部品はＰＣＢ板を使い、前記スイッチ部品は第一導電性電極および第二導電性電極を備え、
前記第一導電性電極と前記第二導電性電極との間には絶縁部が設置されて、前記第一導電性電極と前記第二導電性電とを相互絶縁させ、
前記第一導電性電極および前記第二導電性電極はそれぞれＦＰＣに固定して設置され、前記ＦＰＣ上の回線と前記ＰＣＢ板上の回線は相互導通しており、
前記消音層は、前記ＦＰＣと前記ＰＣＢとの中間部に設置されている
ことを特徴とする請求項１に記載の消音ボタンモジュール。
【請求項７】
前記支持部品は支持板を使い、前記スイッチ部品は第一導電性電極および第二導電性電極を備え、
前記第一導電性電極および前記第二導電性電極はそれぞれＦＰＣに設置され、前記ＦＰＣには導電回線が設置されており、
前記第一導電性電極と前記第二導電性電極との間には絶縁部が設置されて、前記第一導電性電極と前記第二導電性電とを相互絶縁させ、
前記ＦＰＣは前記支持板の上方に設置され、前記ＦＰＣと前記支持部品との間に前記消音層が設置されている
ことを特徴とする請求項１に記載の消音ボタンモジュール。
【請求項８】
前記支持部品はＰＣＢ板を使い、前記スイッチ部品は第一導電性電極および第二導電性電極を備え、
前記第一導電性電極と前記第二導電性電極との間には絶縁部が設置されて、前記第一導電性電極と前記第二導電性電とを相互絶縁させ、
前記消音層は、可撓性導電材料を使っており、前記第一導電性電極および前記第二導電性電極は、前記可撓性導電材料を介して前記ＰＣＢ板に粘着されている
ことを特徴とする請求項１に記載の消音ボタンモジュール。
【請求項９】
前記請求項１〜８のいずれか一項に記載の消音ボタンモジュールを備えていることを特徴とする電子設備。
【請求項１０】
ボタンモジュールにおける消音実現方法であって、
前記ボタンモジュールにおけるスイッチ部品と支持部品との間に消音層を設置して、前記消音層によって、触発機構と前記スイッチ部品の間の衝撃力を緩衝して、ボタンを押す際に発生するノイズを低減させる
ことを特徴とするボタンモジュールにおける消音実現方法。
【発明の詳細な説明】
【技術分野】
【０００１】
本発明は、ボタンモジュールに関し、特に、消音ボタンモジュール、電子設備およびその消音実現方法に関する。
【背景技術】
【０００２】
Ｄｏｍｅは、全称がｍｅｔａｌ  ｄｏｍｅまたはｄｏｍｅ  ａｒｒａｙまたはｄｏｍｅ  ｓｈｅｅｔであって、略称でよく呼ばれ、便宜上ｄｏｍｅ、またはｄｏｍｅシートと称する。それは、金属弾性片（メタルドーム）を備えたＰＥＴ薄片であって、ＰＣＢまたはＦＰＣなどの回路基板においてスイッチとして使われて、ユーザーと機器の間で重要な触感型スイッチの役割を果たす。従来のシリコーンゴムの押しボタンに比べ、薄膜の押しボタンはより優れた手触り感、より長い寿命を有しているので、電導膜を使用した各型のスイッチの生産効率を間接的に高めることができる。
【０００３】
薄膜ボタンにおける金属弾性片（すなわち、Ｄｏｍｅ）は、ＰＣＢ板の導電部位（大部分は、回路基板の金端子の上方に位置する）に位置して、押されたとき、ドームの中心点が下に凹んで、ＰＣＢ上の回線に接触することで回路が形成されて、電流を流すと、製品全体が正常な動作を行うようになる。このように、Ｄｏｍｅは、スイッチにおいて重要な組成部であって、金属弾性片の導電性を利用して、操作者と製品との間で優れたスイッチの役割を果たしている。そして、スナップドームの安定的な復元力（押された後の自動復位）および超長の寿命を利用して、操作者に優れた感触をフィードバックする。
【０００４】
Ｄｏｍｅを使った薄膜ボタンは、例えば、携帯電話のサイドボタン、ノート型パソコンのタッチパッド、ヘッドホンの線制御などの様々な電子製品に広く応用されている。Ｄｏｍｅを使った薄膜ボタンは、その構造の特殊性による制限があるため、押す時と復元する時に明らかな遅延感がある。これは、すなわち、感触のフィードバック、またはキーストローク感と称する。しかし、Ｄｏｍｅを使った薄膜ボタンは、押す時に、「ｋａ、ｋａ、ｋａ」という明らかな音が出てくるので、最高級の電子製品などに応用すると、製品のグレードを低下させてしまう。したがって、どのように薄膜ボタンの押す時の音を低減するかは当業界の喫緊の課題となっている。
【発明の概要】
【発明が解決しようとする課題】
【０００５】
上記のようなＤｏｍｅを使った薄膜ボタンの押す時の大きな押し音の発生問題に鑑みて、本発明は、消音ボタンモジュール、電子設備およびその消音実現方法を提供し、スイッチ部品と支持部品との間に消音層を設置したため、消音層により触発機構とスイッチ部品の間の衝撃力を緩衝して、ボタンを押す際に発生するノイズを低減させ、全体的に完成製品の品質を高めることができる。
【課題を解決するための手段】
【０００６】
本発明による消音ボタンモジュールは、スイッチ部品、触発機構および支持部品を含んでおり、前記触発機構と前記スイッチ部品は、対向して設置されており、前記触発機構は、前記スイッチ部品の導通または切断の操作が実現されるよう、前記スイッチ部品の接触および分離する方向に沿って上向きに移動可能であり、前記スイッチ部品と前記支持部品の間には消音層が設置されている。
【０００７】
また、本発明による電子設備は、本発明による消音ボタンモジュールを備えている。
また、本発明によるボタンモジュールにおける消音実現方法は、スイッチ部品と支持部品との間に消音層を設置し、前記消音層により触発機構と前記スイッチ部品の間の衝撃力を緩衝して、ボタンを押す際に発生するノイズを低減させる。
【０００８】
本発明において、好ましくは、前記触発機構の上方には固定膜が固定して設置されており、前記触発機構は、前記固定膜に固定して装着されている。
本発明において、好ましくは、前記固定膜に突起が固定して設置され、前記突起は、前記触発機構に対応して設置されている。
本発明において、好ましくは、前記固定膜の下方には、スペーサーが設置され、前記スペーサーは、前記触発機構に対応して設置され、前記スペーサーの前記触発機構に対応する位置には貫通孔が形成されて、前記触発機構が前記貫通孔に嵌め込んで設置されている。
好ましくは、前記貫通孔の周辺には一つ以上の通気溝が開設されている。
【０００９】
本発明において、好ましくは、前記支持部品はＰＣＢ板を使い、前記スイッチ部品は第一導電性電極および第二導電性電極を備え、前記第一導電性電極と前記第二導電性電極との間には絶縁部が設置されて、前記第一導電性電極と前記第二導電性電とを相互絶縁させ、前記第一導電性電極および前記第二導電性電極はそれぞれＦＰＣに固定して設置され、前記ＦＰＣ上の回線と前記ＰＣＢ板上の回線は相互導通しており、前記消音層は、前記ＦＰＣと前記ＰＣＢとの中間部に設置されている。
【００１０】
本発明において、好ましくは、前記支持部品は支持板を使い、前記スイッチ部品は第一導電性電極および第二導電性電極を備え、前記第一導電性電極および前記第二導電性電極はそれぞれＦＰＣに設置され、前記ＦＰＣには導電回線が設置されており、前記第一導電性電極と前記第二導電性電極との間には絶縁部が設置されて、前記第一導電性電極と前記第二導電性電とを相互絶縁させ、前記ＦＰＣは前記支持板の上方に設置され、前記ＦＰＣと前記支持部品との間に前記消音層が設置されている。
【００１１】
本発明において、好ましくは、前記支持部品はＰＣＢ板を使い、前記スイッチ部品は第一導電性電極および第二導電性電極を備え、前記第一導電性電極と前記第二導電性電極との間には絶縁部が設置されて、前記第一導電性電極と前記第二導電性電とを相互絶縁させ、前記消音層は可撓性導電材料を使い、前記第一導電性電極および前記第二導電性電極は、前記可撓性導電材料を介して前記ＰＣＢ板に粘着されている。
【発明の効果】
【００１２】
本発明によれば、スイッチ部品と支持部品との間に消音層を設置するため、消音層によって触発機構とスイッチ部品の間の衝撃力を緩衝し、したがって、ボタンを押す際に発生するノイズを低減させ、全体的に完成製品の品質を高めることができる。
【図面の簡単な説明】
【００１３】
【図１】本発明による構造の分解状態を示した模式図である。
【図２】本発明の第一実施例による構造の断面を示した模式図である。
【図３】本発明の第二実施例による構造の断面を示した模式図である。
【図４】本発明の第三実施例による構造の断面を示した模式図である。
【発明を実施するための形態】
【００１４】
以下では、図面と具体的な実施例を用いて本発明を更に詳細に説明する。当然のことながら、ここで説明する実施形態は本発明の一部の好ましい実施形態であり、本発明の趣旨に基づいて変更又は改善することができ、いずれも本発明の保護範囲に含まれる。
【００１５】
図１を参照すると、本実施形態による消音ボタンモジュールは、スイッチ部品２、触発機構３および支持部品１を含んでおり、触発機構３とスイッチ部品２は対向して設置されており、触発機構３は、スイッチ部品２の導通または切断の操作が実現されるよう、スイッチ部品２の接触および分離する方向に沿って上向きに移動可能であり、スイッチ部品２と支持部品１の間には消音層４が設置されている。したがって、触発機構３により発起されるスイッチ部品２の導通または切断を維持する上で、触発機構３とスイッチ部品２の間の衝撃力を緩衝して、ボタンを押す際に発生するノイズを低減することができる。
【００１６】
本実施形態において、消音層４は、可撓性材料により作られて、導電性または不導電性を有し、詳しくは、シリコーンゴム、ゴム、導電スポンジ、導電シリコーンゴムなどで作られる。
【００１７】
本実施形態において、スイッチ部品２の下方にそのスイッチ部品を固定するための付属機構を増設して、スイッチ部品を付属機構に取り付けてもいい。このように、付属機構は、スイッチ部品を固定する役割を果たし、消音層４を付属機構と支持部品１との間に設置してもいい。
【００１８】
本実施形態において、触発機構３の上方には固定膜５が設置されており、触発機構３は固定膜５に固定して取り付けられて、固定膜５により触発機構３を固定する。固定膜５には突起６（Ｐｌｕｎｇｅｒ、プランジャーとも称する）が固定して設置されており、突起６は、触発機構３に対応して設置されて、突起６を介して触発機構３の触発感触を増強する。本実施形態において、突起６を固定膜５の上方または下方に設置してもいいし、粘着方式を使って、ＵＶ接着剤により作ってもいい。
【００１９】
本実施形態において、固定膜５の下方にはスペーサー７が設置され、スペーサー７は触発機構３に対応して設置されている。スペーサー７の触発機構３に対応する位置には貫通孔８が形成されて、触発機構３が貫通孔８に嵌め込んで設置されている。本実施形態において、貫通孔８の周辺には一つ以上の通気溝９が開設されて、触発機構３で触発する際の底部の空気を排出するために使われる。したがって、使用時の手触り感を増強して、より円滑に押されるようにする。本実施形態において、触発機構３は金属弾性片（ＤＯＭＥとも称する）を使ってもいい。
【００２０】
以下、具体的な実施例を参照しながら、本発明をさらに詳しく説明する。
【００２１】
［第一実施例］
本実施例において、支持部品１はＰＣＢ板１０を使っており、スイッチ部品２は第一導電性電極１１および第二導電性電極１２を備え、第一導電性電極１１と第二導電性電極１２との間には絶縁部１３が設置されて、第一導電性電極１１と第二導電性電１２とが相互絶縁できるようにする。第一導電性電極１１は円盤状に形成され、第二導電性電極１２は円環状に形成されている。具体的に実施するとき、第一導電性電極１１と第二導電性電１２を「山」字状、半円状、ストリップ状などに形成してもいい。第一導電性電極１１と第二導電性電１２は、それぞれＦＰＣ１４に固定して設置されており、ＦＰＣ１４は、スイッチ部品の付属機構として使われる。
また、第一導電性電極１１と第二導電性電１２は、導電性銅片を使い、エッチング、粘着などの技法によってＦＰＣ１４上に加工され、そして、ＦＰＣ１４は、粘着または溶接などの技法によってＰＣＢ板１０に固定されている。ＦＰＣ１４上の回線とＰＣＢ１０板上の回線を相互導通させ、ＦＰＣ１４とＰＣＢ板１０との間に消音層４を設置している。この消音層４により触発機構３とスイッチ部品２の間の衝撃力を緩衝して、ボタンを押す際に発生するノイズを低減させる。
【００２２】
本実施例において、消音層４は可撓性材料で作られたガスケットを使っており、スイッチ部品２ごとに一つのガスケットを対応して設置してもいいし、すべてのスイッチ部品に対応する全体のガスケットを設置してもいい。
【００２３】
［第二実施例］
本実施例において、支持部品１は、支持板１５または使用される電子設備の底板を使っており、スイッチ部品は第一導電性電極１１および第二導電性電極１２を備え、第一導電性電極１１と第二導電性電１２は、それぞれＦＰＣ１４に設置されており、第一導電性電極１１と第二導電性電極１２との間には絶縁部１３を設置して、第一導電性電極１１と第二導電性電１２とを相互絶縁させる。第一導電性電極１１は円盤状に形成され、第二導電性電極１２は円環状に形成されている。具体的に実施するとき、第一導電性電極１１と第二導電性電１２を「山」字状、半円状、ストリップ状などに形成してもいい。
第一導電性電極１１と第二導電性電１２は、それぞれＦＰＣ１４に固定して設置され、ＦＰＣ１４は、スイッチ部品の付属機構として使われている。
また、第一導電性電極１１と第二導電性電１２は、導電性銅片を使い、エッチング、粘着などの技法によってＦＰＣ１４上に加工され、ＦＰＣ１４は支持部品１の上方に設置されている。ＦＰＣ１４と支持部品１との間には消音層４が設置されて、この消音層４により触発機構３とスイッチ部品２の間の衝撃力を緩衝して、ボタンを押す際に発生するノイズを低減させる。
【００２４】
本実施例において、消音層４は、可撓性材料で作られたガスケットを使って、スイッチ部品２ごとに一つのガスケットを対応して設置してもいいし、すべてのスイッチ部品２に対応する全体のガスケットを設置してもいい。
【００２５】
［第三実施例］
本実施例において、支持部品１はＰＣＢ板１０を使っており、スイッチ部品２は第一導電性電極１１および第二導電性電極１２を備え、第一導電性電極１１と第二導電性電極１２との間には絶縁部１３が設置されて、第一導電性電極１１と第二導電性電１２とが相互絶縁できるようにする。第一導電性電極１１は円盤状に形成され、第二導電性電極１２は円環状に形成されている。具体的に実施するとき、第一導電性電極１１と第二導電性電１２を「山」字状、半円状、ストリップ状などに形成してもいい。
第一導電性電極１１と第二導電性電１２は、直接可撓性導電シリコーンゴムまたは導電スポンジなどの導電層１６を介して、ＰＣＢ板１０に粘着されており、可撓性導電シリコーンゴムまたは導電スポンジなどにより触発機構３とスイッチ部品２の間の衝撃力を緩衝して、ボタンが押される際に発生するノイズを低減させる。
【００２６】
なお、本発明による電子設備は、備えているボタンモジュールとして、上述した消音ボタンモジュールを使っている。ここで、電子設備は、ノート型パソコン、ブルートゥースキーボード、携帯電話、タブレット型パソコンなど、押しボタンを含む電子設備である。
【００２７】
なお、本発明の実施形態によるボタンモジュールにおける消音実現方法は、ボタンモジュールにおけるスイッチ部品と支持部品との間に消音層を設置して、消音層によって、触発機構とスイッチ部品の間の衝撃力を緩衝して、ボタンを押す際に発生するノイズを低減させて、全体的に完成製品の品質を向上させる。
【００２８】
このように、本発明では、スイッチ部品と支持部品との間に消音層を設置し、その消音層を使って触発機構とスイッチ部品の間の衝撃力を緩衝する。これにより、ボタンが押されるときに発生されるノイズが低減され、全体的に完成製品の品質を向上させる。
【符号の説明】
【００２９】
１−支持部品、２−スイッチ部品、３−触発機構、４−消音層、５−固定膜、６−突起、７−スペーサー、８−貫通孔、９−通気溝、１０−ＰＣＢ、１１−第一導電性電極、１２−第二導電性電極、１３−絶縁部、１４−ＦＰＣ、１５−支持板、１６−導電層。
【図１】
2021523542.tif 000003
【図２】
2021523542.tif 000004
【図３】
2021523542.tif 000005
【図４】
2021523542.tif 000006
【国際調査報告】
2021523542.tif 000007
2021523542.tif 000008
2021523542.tif 000009
2021523542.tif 000010